(57)【特許請求の範囲】
【請求項１】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成する給湯設定温度制御を行い、
前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、
給湯開始時点で、前記蓄熱槽から給湯設定温度を下回る温水が前記給湯接続ユニットに送出される場合は、給湯開始時点から所定時間が経過するまでの間、前記給湯接続ユニットが強制的に給湯設定温度制御を行うようにしたことを特徴とする給湯システム。
【請求項２】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成する給湯設定温度制御を行い、
前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、
給湯開始時点で、前記蓄熱槽から給湯設定温度を下回る温水が前記給湯接続ユニットに送出される場合であって、しかも、上水の温度が固定温度以上の場合は、給湯開始時点から所定時間が経過するまでの間、前記給湯接続ユニットが強制的に給湯設定温度制御を行うようにしたことを特徴とする給湯システム。
【請求項３】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成する給湯設定温度制御を行い、
前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、
給湯開始時点で、前記蓄熱槽から給湯設定温度を下回る温水が前記給湯接続ユニットに送出される場合であって、しかも、上水の温度が固定温度以上の場合は、給湯が停止されるまでの間、前記給湯接続ユニットが強制的に給湯設定温度制御を行うようにしたことを特徴とする給湯システム。
【請求項４】
上水の温度が固定温度を上回っているか否かを、前記混合調節弁の開度によって判断するようにした請求項２または３に記載の給湯システム。
【請求項５】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成する給湯設定温度制御を行い、
前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、
給湯開始時点で、前記蓄熱槽から給湯設定温度を下回る温水が前記給湯接続ユニットに送出される場合であって、しかも、上水の温度が固定温度以上の場合は、給湯開始時点から所定時間が経過するまでの間、前記蓄熱槽から最小流量の温水が送出されるように、前記混合調節弁を所定開度に保持するようにした給湯システム。
【請求項６】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成する給湯設定温度制御を行い、
前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、
給湯開始時点で、前記蓄熱槽から給湯設定温度を下回る温水が前記給湯接続ユニットに送出される場合であって、しかも、上水の温度が固定温度以上の場合は、給湯が停止されるまでの間、少なくとも、前記蓄熱槽から最小流量の温水が送出されるように、前記混合調節弁の開度調整を行うようにした給湯システム。
【発明の詳細な説明】
【０００１】
【発明の属する技術分野】
この発明は、太陽熱等の補助熱源によって生成された温水を蓄熱槽に貯留しておき、この温水を、上水と混合可能な給湯接続ユニットを介して、給湯器に送出するようにした給湯システムに関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、太陽熱を利用して生成された温水を貯留する蓄熱槽を備えている太陽熱利用温水器と給湯器とが、給湯接続ユニットを介して接続されており、給湯時には、太陽熱利用温水器の蓄熱槽に貯留された温水が給湯接続ユニットを介して給湯器に送出されるが、給湯接続ユニットは、蓄熱槽に貯留された温水を単に給湯器に送出するだけではなく、必要に応じて、蓄熱槽から送出される温水に上水を混合した状態で、給湯器に送出することができるように、給湯接続ユニットには、全開で蓄熱槽から送出された温水のみを給湯器に送出し、全閉で上水のみを給湯器に送出する混合調節弁が搭載されている。
【０００４】
従って、給湯器に対して設定された給湯設定温度以上の温水が蓄熱槽に貯留されている場合は、給湯接続ユニットの混合調節弁が、蓄熱槽から送出される給湯設定温度以上の温水と上水とを適宜混合することによって、目標温度である給湯設定温度の温水を生成する給湯設定温度制御が行われ、給湯接続ユニットによって生成された給湯設定温度の温水が給湯器に送出されることになる。
【０００５】
一方、給湯設定温度以上の温水が蓄熱槽に貯留されていない場合は、給湯接続ユニットの混合調節弁が、蓄熱槽から送出される給湯設定温度を下回る温水を、上水と適宜混合することによって、予め定められた固定温度まで強制的に下げた状態で給湯器に送出する固定温度制御が行われ、給湯器のバーナーを燃焼させることによって目標温度である給湯設定温度の温水を生成することになる。
【０００６】
【発明が解決しようとする課題】
ところで、蓄熱槽と給湯接続ユニットとを接続している配管内に滞留している温水の温度が低下して、給湯設定温度を下回ったような場合、給湯開始時点では、給湯接続ユニットが上述した固定温度制御を行うことになるが、目標温度である固定温度より上水温度が高い場合は、上水のみによっても固定温度の温水を給湯器に送出することができないので、混合調節弁が全閉になり、蓄熱槽に貯留されている温水が給湯接続ユニットに全く送出されない状態となる。
【０００７】
従って、蓄熱槽内には給湯設定温度以上の温水が貯留されている場合であっても、上水温度が固定温度を上回っている間は、蓄熱槽に貯留されている高温の温水が給湯接続ユニットに送出されることがないので、給湯接続ユニットが固定温度制御から給湯温度制御に切り替えることができず、給湯設定温度以上の温水が蓄熱槽に貯留されているにも拘わらず、給湯器のバーナーを燃焼させなければならない固定温度制御が継続して行われることになり、蓄熱槽に貯留された温水を効率よく利用した給湯運転を行うことができないといった問題がある。
【０００８】
そこで、この発明の課題は、上水温度が比較的高い場合であっても、蓄熱槽に貯留された温水を有効に利用して給湯を行うことができる給湯システムを提供することにある。
【０００９】
【課題を解決するための手段及びその効果】
上記の課題を解決するため、請求項１にかかる発明は、主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、前記蓄熱槽から給湯設定温度以上の温水が前記給湯接続ユニットに送出される場合は、前記給湯接続ユニットが上水を混合することによって給湯設定温度の温水を生成する給湯設定温度制御を行い、前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、給湯開始時点で、前記蓄熱槽から給湯設定温度を下回る温水が前記給湯接続ユニットに送出される場合は、給湯開始時点から所定時間が経過するまでの間、前記給湯接続ユニットが強制的に給湯設定温度制御を行うようにしたことを特徴とする給湯システムを提供するものである。
【００１０】
以上のように、この給湯システムでは、蓄熱槽から給湯設定温度を下回る温水が給湯接続ユニットに送出される場合、即ち、給湯接続ユニットが本来固定温度制御を行うような場合でも、給湯開始時点から所定時間が経過するまでの間は、給湯接続ユニットが強制的に給湯設定温度制御を行うようになっているので、例えば、上水の温度が固定温度を上回っているため、従来の給湯システムでは、蓄熱槽に貯留されている温水が給湯接続ユニットに全く送出されないような場合であっても、給湯開始後所定時間が経過する間は、蓄熱槽から給湯接続ユニットに温水が確実に送出されることになる。
【００１１】
従って、蓄熱槽と給湯接続ユニットとを接続している配管内に滞留している温水が給湯設定温度を下回る温度まで低下していても、蓄熱槽内に給湯設定温度以上の温水が貯留されている場合は、そのうち（給湯開始から所定時間が経過するまでの間に）、給湯設定温度以上の温水が給湯接続ユニットに送出されることになり、給湯接続ユニットがこれを確実に検出することができるので、そのような場合は、固定温度制御を行うことなく、引き続いて、通常の給湯設定温度制御に移行することができ、従来の給湯システムとは異なり、蓄熱槽に貯留された温水を有効に利用した給湯運転を行うことが可能となる。
【００１２】
特に、請求項２にかかる発明の給湯システムのように、給湯開始時点で、前記蓄熱槽から給湯設定温度を下回る温水が前記給湯接続ユニットに送出される場合であって、しかも、上水の温度が固定温度以上の場合に限って、給湯開始時点から所定時間が経過するまでの間、前記給湯接続ユニットが強制的に給湯設定温度制御を行うようにしておくと、上水温度が固定温度を下回っている場合、即ち、固定温度制御を行っても、蓄熱槽から給湯接続ユニットに温水が送出される場合には、給湯開始後、まず、固定温度制御に移行し、給湯設定温度以上の温水が給湯接続ユニットに送出されるようになった時点で給湯設定温度制御に切り替えることができるので、給湯設定温度の温水を確実に供給することができる。
【００１３】
また、上水温度が固定温度以上である場合は、通常、蓄熱槽に貯留されている温水の温度も高くなっていると考えられるので、請求項３にかかる発明の給湯システムのように、給湯開始時点で、前記蓄熱槽から給湯設定温度を下回る温水が前記給湯接続ユニットに送出される場合であって、しかも、上水の温度が固定温度以上の場合は、給湯が停止されるまでの間、前記給湯接続ユニットが強制的に給湯設定温度制御を行うようにすることも可能である。
【００１４】
また、上水温度が固定温度を上回っているか否かは、センサによって実際に検出された上水温度に基づいて判断してもよいが、請求項４にかかる発明の給湯システムのように、上水の温度が固定温度を上回っているか否かを、前記混合調節弁の開度によって判断することも可能である。
【００１５】
また、上記の課題を解決するため、請求項５にかかる発明は、主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、前記蓄熱槽から給湯設定温度以上の温水が前記給湯接続ユニットに送出される場合は、前記給湯接続ユニットが上水を混合することによって給湯設定温度の温水を生成する給湯設定温度制御を行い、前記蓄熱槽から給湯設定温度を下回る温水が前記給湯接続ユニットに送出される場合は、前記給湯接続ユニットが上水を混合することによって、予め定められた固定温度の温水を生成する固定温度制御を行うようにした給湯システムにおいて、給湯開始時点で、前記蓄熱槽から給湯設定温度を下回る温水が前記給湯接続ユニットに送出される場合であって、しかも、上水の温度が固定温度以上の場合は、給湯開始時点から所定時間が経過するまでの間、前記蓄熱槽から最小流量の温水が送出されるように、前記混合調節弁を所定開度に保持するようにした給湯システムを提供するものである。
【００１６】
以上のように、この給湯システムでは、給湯開始時点で、蓄熱槽から給湯設定温度を下回る温水が給湯接続ユニットに送出される場合であって、しかも、上水の温度が固定温度以上の場合には、給湯開始時点から所定時間が経過するまでの間、蓄熱槽から最小流量の温水が送出されるように、混合調節弁を所定開度に保持するようにしたので、例えば、上水の温度が固定温度を上回っているため、従来の給湯システムでは、蓄熱槽に貯留されている温水が給湯接続ユニットに全く供給されないような場合であっても、給湯開始後所定時間が経過するまでの間は、蓄熱槽から給湯接続ユニットに温水が確実に送出されることになる。
【００１７】
従って、給湯設定温度以上の温水が給湯接続ユニットに送出され始めた時点で、給湯接続ユニットがこれを検出することができるので、給湯接続ユニットが固定温度制御から給湯設定温度制御に円滑かつ確実に切り替えることができ、蓄熱槽に貯留された温水を有効に利用した給湯運転を行うことが可能となる。
【００１８】
また、請求項６にかかる給湯システムのように、給湯開始時点で、前記蓄熱槽から給湯設定温度を下回る温水が前記給湯接続ユニットに送出される場合であって、しかも、上水の温度が固定温度以上の場合には、給湯が停止されるまでの間、少なくとも、前記蓄熱槽から最小流量の温水が送出されるように、前記混合調節弁の開度調整を行うようにしてもよい。
【００１９】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器３０とが給湯接続ユニット２０を介して接続されたものであり、太陽熱利用温水器１０によって生成された温水が給湯接続ユニット２０を介して給湯器３０に送出されるようになっている。
【００２０】
前記太陽熱利用温水器１０は、ソーラー集熱機１１と密閉式の蓄熱槽１４とを備えており、蓄熱槽１４には、その下端部に上水を供給するための給水管１５が接続されていると共に、上端部には貯留された温水を給湯接続ユニット２０に送出するための温水供給管１６が接続されている。
【００２１】
前記ソーラー集熱機１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー集熱機１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００２２】
前記給湯接続ユニット２０は、同図に示すように、給水管２２を介して供給される上水と、蓄熱槽１４から温水供給管１６を介して供給される温水とを、必要に応じて混合する混合調節弁２１を備えており、蓄熱槽１４から送出された温水は、そのまま又は上水と適宜混合された状態で混合調節弁２１の出口側に接続された温水配管２３を介して給湯器３０に送出され、給湯器３０の熱交換器３１を通って給湯されるようになっている。なお、混合調節弁２１は、全開状態で、蓄熱槽１４から温水供給管１６を介して供給される温水のみを給湯器３０に送出し、逆に、全閉状態では、給水管２２を介して供給される上水のみを給湯器３０に送出するようになっている。
【００２３】
また、給湯接続ユニット２０には、混合調節弁２１の上水入口側に接続された給水管２２と混合調節弁２１の温水出口側に接続された温水配管２３とを相互に接続するバイパス管２４が設けられており、このバイパス管２４には、通電状態でバイパス管２４の流路を遮断するダイヤフラム方式の電磁弁２５が設置されている。
【００２４】
また、混合調節弁２１に接続された温水供給管１６、給水管２２及び温水配管２３には、蓄熱槽１４から送出される温水の温度（以下、入湯温度という。）Ｔｓを検出するための入湯温度センサ２６、給湯接続ユニット２０に送出される上水の温度（以下、上水温度という。）Ｔｗを検出するための上水温度センサ２７及び給湯接続ユニット２０から送出される温水の温度（以下、出湯温度という。）Ｔｏを検出するための出湯温度センサ２８が設置されている。
【００２５】
前記給湯接続ユニット２０及び給湯器３０には、シリアルインターフェースを介して相互に通信可能なコントローラ２０ａ、３０ａがそれぞれ搭載されていると共に、給湯器３０の操作リモコン４０には、シリアルインターフェースを介して給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２６】
給湯接続ユニット２０のコントローラ２０ａには、入湯温度センサ２６、上水温度センサ２７及び出湯温度センサ２８からの温度検出信号が入力されると共に、操作リモコン４０によって設定された給湯設定温度Ｔｅ及び運転スイッチ信号、バーナー燃焼信号、最低作動流量以上の水流を検知してＯＮする水流信号等が給湯器３０のコントローラ３０ａから送信されるようになっており、これらの温度検出信号及び給湯設定温度Ｔｅに基づいて、給湯接続ユニット２０のコントローラ２０ａが混合調節弁２１を制御するようになっている。
【００２７】
蓄熱槽１４から送出される温水の温度、即ち、入湯温度センサ２６によって検出された入湯温度Ｔｓが給湯設定温度Ｔｅ以上の場合は、給湯器３０のバーナーを燃焼させなくても、上水を適宜混合することによって給湯設定温度Ｔｅの温水を供給することができるので、給湯接続ユニット２０から送出される温水の温度、即ち、出湯温度センサ２８によって検出される出湯温度Ｔｏが給湯設定温度Ｔｅになるように、混合調節弁２１を制御する給湯設定温度制御を行うようになっている。
【００２８】
一方、入湯温度Ｔｓが給湯設定温度Ｔｅより低い場合は、給湯器３０のバーナーを燃焼させなければ、給湯設定温度Ｔｅの温水を供給することができないので、給湯器３０のバーナーを燃焼させることによって、確実に給湯設定温度Ｔｅの温水を生成することができるように、給湯設定温度Ｔｅが６０℃以上、６０℃未満３５℃以上、３５℃未満に場合分けし、６０℃以上の場合は４５℃、６０℃未満３５℃以上の場合は３０℃、３５℃未満の場合は２５℃といった固定温度Ｔｆの温水がそれぞれ送出されるように、混合調節弁２１の開度を調整して上水を混合する固定温度制御を行うようになっている。
【００２９】
以下、上述した給湯システム１の運転動作について、図２に示すフローチャートを参照しながら説明する。まず、操作リモコン４０の運転スイッチがＯＮされると（ステップＳ１）、水流信号がＯＮされるまで、即ち、給湯が開始されるまで待機する（ステップＳ２）。ここで、水流信号がＯＮされると、カウンタＮをリセット（Ｎ＝０）した後（ステップＳ３）、その時点における入湯温度Ｔｓが給湯設定温度Ｔｅ以上であるか否かを判断する（ステップＳ４）。
【００３０】
ここで、入湯温度Ｔｓが給湯設定温度Ｔｅを下回っている場合は、直ちに、上述した固定温度制御に移行するのではなく、上水温度Ｔｗが給湯設定温度Ｔｅに応じて設定される固定温度Ｔｆ以上であるか否かを判断し（ステップＳ５）、上水温度Ｔｗが固定温度Ｔｆ以上の場合は、続いて、カウンタＮ＝０か否かを判断し（ステップＳ６）、カウンタＮ＝０の場合は、５秒間強制的に給湯設定温度制御を行った後（ステップＳ７）、カウンタＮに「１」を加算する（ステップＳ８）。
【００３１】
その後、水流信号がＯＦＦされたか否か、即ち、給湯が停止されたか否かを判断し（ステップＳ９）、水流信号がＯＦＦされない場合（給湯を継続している場合）はステップＳ４に移行し、水流信号がＯＦＦされた場合（給湯を停止した場合）はステップＳ２に移行する。
【００３２】
一方、ステップＳ４において、入湯温度Ｔｓが給湯設定温度Ｔｅ以上の場合は、給湯接続ユニット２０のコントローラ２０ａが、給湯器３０のコントローラ３０ａに対して即座にバーナーの燃焼停止指令を出力し、上述した給湯設定温度制御に移行する（ステップＳ１０）。従って、給湯を開始した時点における入湯温度Ｔｓが給湯設定温度Ｔｅ以上の場合は、給湯器３０のバーナーが燃焼することなく、給湯が開始されることになる。
【００３３】
その後、水流信号がＯＦＦされたか否か、即ち、給湯が停止されたか否かを判断し（ステップＳ９）、水流信号がＯＦＦされない場合（給湯を継続している場合）はステップＳ４に移行し、水流信号がＯＦＦされた場合（給湯を停止した場合）はステップＳ２に移行する。
【００３４】
また、ステップＳ５において、上水温度Ｔｗが固定温度Ｔｆを下回っている場合は、給湯接続ユニット２０のコントローラ２０ａが、給湯器３０のコントローラ３０ａに対してバーナーの燃焼開始指令を出力し、上述した固定温度制御を開始する（ステップＳ１１）。従って、給湯を開始した時点における入湯温度Ｔｓが給湯設定温度Ｔｅより低い場合であって、上水温度Ｔｗが固定温度Ｔｆを下回っている場合は、給湯器３０のバーナーが燃焼を開始すると同時に給湯接続ユニット２０から給湯設定温度Ｔｅを下回る所定温度（４５℃、３５℃または２５℃）の温水が給湯器３０に送出されることになる。
【００３５】
その後、水流信号がＯＦＦされたか否か、即ち、給湯が停止されたか否かを判断し（ステップＳ９）、水流信号がＯＦＦされない場合（給湯を継続している場合）はステップＳ４に移行し、水流信号がＯＦＦされた場合（給湯を停止した場合）はステップＳ２に移行する。
【００３６】
また、ステップＳ６において、カウンタＮ＝０でない場合は、上水温度Ｔｗが固定温度Ｔｆを下回っている場合と同様に、固定温度制御に移行することになる（ステップＳ１１）。従って、給湯を開始した時点で、入湯温度Ｔｓが給湯設定温度Ｔｅを下回っており、しかも、上水温度Ｔｗが固定温度Ｔｆ以上であったために、５秒間強制的に給湯設定温度制御を行った後は、入湯温度Ｔｓ及び上水温度Ｔｗが同様の温度状態を維持している場合であっても、給湯が停止されるまでの間は、再度、５秒間強制的に給湯設定温度制御を行うことはなく、通常の固定温度制御に移行することになる。
【００３７】
以上のように、この給湯システム１では、給湯を開始した時点で、入湯温度Ｔｓが給湯設定温度Ｔｅを下回っており、しかも、上水温度Ｔｗが固定温度Ｔｆ以上の場合は、直ちに固定温度制御に移行することなく、５秒間強制的に給湯設定温度制御を行うようになっているので、給湯開始後５秒間は、給湯接続ユニット２０の混合調節弁２１が全開となり、蓄熱槽１４から給湯接続ユニット２０に温水が確実に送出されることになる。
【００３８】
このため、給湯開始時点において、蓄熱槽１４と給湯接続ユニット２０とを接続している温水供給管１６内の温水が給湯設定温度Ｔｅを下回る温度まで低下していても、蓄熱槽１４内に給湯設定温度Ｔｅ以上の温水が貯留されていれば、給湯開始後５秒間の間に、温水供給管１６内の給湯設定温度Ｔｅを下回る温水が給湯接続ユニット２０に送出された後、引き続いて、蓄熱槽１４に貯留されている給湯設定温度Ｔｅ以上の温水が給湯接続ユニット２０に送出されることになり、入湯温度センサ２６が、蓄熱槽１４から送出される給湯設定温度Ｔｅ以上の温水を確実に検出することができるので、温水供給管１６内の温水のみが給湯設定温度Ｔｅを下回る温度まで低下しており、しかも、上水温度Ｔｗが固定温度Ｔｆ以上の場合であっても、給湯器３０のバーナーを燃焼させなければならない固定温度制御を一切行うことなく、そのまま、通常の給湯設定温度制御に移行することができる。
【００３９】
従って、給湯開始時点で、入湯温度Ｔｓが給湯設定温度Ｔｅを下回っている場合は、上水温度Ｔｗが固定温度Ｔｆ以上の場合であっても、直ちに固定温度制御に移行するため、蓄熱槽に給湯設定温度Ｔｅ以上の温水が貯留されていても、固定温度制御から給湯温度制御に切り替えることができない従来の給湯システムとは異なり、蓄熱槽１４に貯留された温水を最大限に利用した給湯運転を行うことが可能となる。
【００４０】
なお、上述した実施形態では、給湯を開始した時点で、入湯温度Ｔｓが給湯設定温度Ｔｅを下回っており、しかも、上水温度Ｔｗが固定温度Ｔｆ以上の場合は、５秒間強制的に給湯設定温度制御を行うようになっているが、強制的に給湯設定温度制御を行う時間は５秒間に限定されるものではなく、蓄熱槽１４と給湯接続ユニット２０とを接続する温水供給管１６の配管長等に応じて、適宜設定すればよい。
【００４１】
また、上述した実施形態では、給湯を開始した時点で、入湯温度Ｔｓが給湯設定温度Ｔｅを下回っており、しかも、上水温度Ｔｗが固定温度Ｔｆ以上の場合だけ、５秒間強制的に給湯設定温度制御を行うようになっているが、５秒程度の短い時間であれば、給湯設定温度Ｔｅを下回る温水が出湯されても、特に問題となることはないので、給湯を開始した時点で、入湯温度Ｔｓが給湯設定温度Ｔｅを下回っている場合は、上水温度Ｔｗが固定温度Ｔｆ以上であるか否かに拘わらず、所定時間（例えば、５秒間）だけ、強制的に給湯設定温度制御を行うようにしてもよい。
【００４２】
また、浴槽への注湯を除いて、通常の給湯動作では、給湯を開始してから停止するまでの時間はそれほど長くなく、また、上水温度Ｔｗが固定温度Ｔｆ以上である場合は、蓄熱槽１４に貯留されている温水の温度も高くなっていると考えられるので、給湯を開始した時点で、入湯温度Ｔｓが給湯設定温度Ｔｅを下回っており、しかも、上水温度Ｔｗが固定温度Ｔｆ以上の場合には、給湯を開始してから停止するまでの間、強制的に給湯設定温度制御を行うようにしても、特に問題となることはない。
【００４３】
ただし、蓄熱槽１４に貯留されている温水の温度が低い場合があることを考慮すると、給湯を開始してから停止するまでの間、一律に給湯設定温度制御を行うのではなく、入湯温度Ｔｓが、使用上支障のない温度、例えば、給湯設定温度Ｔｅ−３℃以上の場合に限り、給湯を開始してから停止するまでの間、強制的に給湯設定温度制御を行い、入湯温度Ｔｓが給湯設定温度Ｔｅ−３℃を下回る場合は、所定時間（例えば、５秒間）経過後に、固定温度制御に切り替えるようにしたり、浴槽への自動注湯を行う場合のように、追い焚きをすることによって所定温度（設定温度）まで昇温することができる場合にのみ、給湯を開始してから停止するまでの間、強制的に給湯設定温度制御を行い、それ以外の場合は、所定時間（例えば、５秒間）経過後に、固定温度制御に切り替えるようにすることも可能である。
【００４４】
また、給湯設定温度制御では、通常、給湯器３０のバーナーを燃焼させないが、上述したように、給湯を開始してから停止するまでの間、強制的に給湯設定温度制御を行う場合は、例外的に、給湯器３０のバーナーを燃焼させることによって、蓄熱槽１４に貯留されている温水の温度が低い場合における出湯温度の低下を防止することも可能である。ただし、給湯器３０を通過する温水の流量が少ない場合、即ち、給湯流量が少ない場合に、給湯器３０のバーナーを燃焼させると、給湯設定温度Ｔｅ以上の温水が出湯されることになるので、浴槽への自動注湯等のように、給湯流量が多い場合に限って、給湯器３０のバーナーを燃焼させることが望ましい。
【００４５】
また、上述した実施形態では、給湯開始時点で、上水温度センサ２７によって実際に測定された上水温度Ｔｗが固定温度Ｔｆ以上である場合に、強制的に給湯設定温度制御に移行するようにしているが、これに限定されるものではなく、給湯開始時点で、入湯温度Ｔｓが給湯設定温度Ｔｅを下回っている場合は、一旦通常の固定温度制御に移行し、上水温度Ｔｗが固定温度Ｔｆ以上の場合は、混合調節弁２１が全閉状態になるので、これを検出して強制的に給湯設定温度制御に切り替えるようにしてもよい。
【００４６】
また、上述した実施形態では、給湯を開始した時点で、入湯温度Ｔｓが給湯設定温度Ｔｅを下回っており、しかも、上水温度Ｔｗが固定温度Ｔｆ以上の場合に、強制的に給湯設定温度制御に移行することで、温水供給管１６内に滞留している温水（蓄熱槽１４に貯留されている温水）を強制的に給湯接続ユニット２０に送出させるようにしているが、これに限定されるものではなく、入湯温度Ｔｓが給湯設定温度Ｔｅを下回っており、しかも、上水温度Ｔｗが固定温度Ｔｆ以上の場合には、通常の固定温度制御に移行し、給湯開始時点から所定時間（例えば、５秒間）が経過するまでの間、蓄熱槽１４から最小流量の温水が継続的に給湯接続ユニット２０に送出されるように、混合調節弁２１を所定開度（最小開度）に保持するようにしたり、給湯を開始してから停止するまでの間は、少なくとも、蓄熱槽１４から最小流量の温水が給湯接続ユニット２０に送出されるように、混合調節弁１４の開度調整を行うようにしてもよい。
【００４７】
また、上述した実施形態は、太陽熱利用温水器を補助熱源として使用した給湯システムであるが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについて、本発明を適用することができることはいうまでもない。
【図面の簡単な説明】
【図１】この発明にかかる給湯システムの一実施形態を示す概略構成図である。
【図２】同上の給湯システムにおける給湯運転動作を示すフローチャートである。
【符号の説明】
１  給湯システム
１０  太陽熱利用温水器
１４  蓄熱槽
１６  温水供給管
２０  給湯接続ユニット
２０ａ  コントローラ
２１  混合調節弁
２２  給水管
２３  温水配管
２４  バイパス管
２５  電磁弁
２６  入湯温度センサ
２７  上水温度センサ
２８  出湯温度センサ
３０  給湯器
３０ａ  コントローラ
３１  熱交換器
４０  操作リモコン
４０ａ  コントローラ
【図１】
0004682490.tif 000002
【図２】
0004682490.tif 000003